(57)【要約】【課題】箸箱を開いたときに箸が自動的にはね上がるため、ユーザーが箸を容易に取り出すことができる便利かつ実用的なポップアップ式箸箱を提供する。【解決手段】  ポップアップ式箸箱は、箱体１、蓋体２及び弾性台３を備える。箱体１の側面には、蓋体２が枢着され、箱体１には、弾性台３を収納する収納孔１２１が設けられる。弾性台３は、円弧状を呈するとともに底端が中空状を呈した接続部３１を有し、接続部３１を介して箱体１の収納孔１２１の端部に接続される。接続部３１の端部には、はね上げ板３２が延設され、はね上げ板３２と接続部３１との接続箇所には、弾性台３をはね上げたり収納したりする皺部３３が形成され、はね上げ板３２の他方の端部には、箸を載置する位置規制溝３４が垂直に延びている。【選択図】図２
0003180818.tif 000002
【実用新案登録請求の範囲】
【請求項１】
箱体、蓋体及び弾性台を備えたポップアップ式箸箱であって、
前記箱体の側面には、前記蓋体が枢着され、前記箱体には、前記弾性台を収納する収納孔が設けられ、
前記弾性台は、円弧状を呈するとともに底端が中空状を呈した接続部を有し、前記接続部を介して前記箱体の前記収納孔の端部に接続され、
前記接続部の端部には、はね上げ板が延設され、前記はね上げ板と前記接続部との接続箇所には、前記弾性台をはね上げたり収納したりする皺部が形成され、前記はね上げ板の他方の端部には、箸を載置する位置規制溝が垂直に延びていることを特徴とするポップアップ式箸箱。
【請求項２】
前記箱体は、少なくとも１つの側壁を含むとともに底端部が閉じて形成された収納空間を含み、
前記収納空間は、収納孔及び複数の貫通孔を有し、
前記収納孔には、前記弾性台が収納され、
前記箱体は、側壁上端に凸縁が設けられ、前記蓋体を枢着させる枢着部が側壁の一方の端部に設けられ、係止用爪が他方の端部に設けられることを特徴とする請求項１に記載のポップアップ式箸箱。
【請求項３】
前記蓋体は、少なくとも１つの側壁を含むとともに底端部が閉じて形成された収納空間を含み、
前記箱体の前記側壁上端には、前記蓋体の側壁上端に設けられた前記凸縁を嵌合させる凹縁が設けられ、
前記蓋体の側壁には、前記箱体を枢着する枢着部が一方の端部に設けられるとともに、係止用フックが他方の端部に設けられることを特徴とする請求項２に記載のポップアップ式箸箱。
【請求項４】
前記箱体は、一方の端部に支持槽が設けられ、他方の端部に折り曲げ端部が設けられるとともに、内側に凹んだ収納槽が左右両側にそれぞれ設けられた箸置部を有することを特徴とする請求項２に記載のポップアップ式箸箱。
【考案の詳細な説明】
【技術分野】
【０００１】
本考案は、ポップアップ式箸箱に関し、特に、箸箱を開いたときに箸が自動的にはね上がり、ユーザーが箸を容易に取出すことができるポップアップ式箸箱に関する。
【背景技術】
【０００２】
図６に示すように、従来市販されている箸収納箱５は、互いに接続された箱体５１及び箱蓋５２を有する。箱体５１内には、箸５３を収納するのに十分な大きさを有する収納空間５１１が形成されている。箱体５１は、箸５３を収納するのに十分な大きさを有し、箱蓋５２により覆われる。箱体５１には、係止用爪５１２が設けられ、箱蓋５２には、係止用爪５１２に係止可能な係止用フック５２１が設けられる。携帯性を高めるとともに衛生かつ清潔に保つために、箸は箸箱に収納することが一般的である。
【０００３】
しかし従来の箸箱は、内側に形成された収納空間の大きさが箸の寸法と略同じであり、間隙がほとんど無いため箸を箸箱から取り出すことが容易でない。そのため箸を取り出す際、箸箱をひっくり返して箸を取り出していたが、不便な上、実用的でなかった。
【０００４】
特許第４６２５４２３号公報には、ポップアップ機構を備えた薄物物品の収納ケースが記載されている。しかし、箸箱に適用するような点については開示されていない。
【特許文献１】特許第４６２５４２３号公報
【考案の概要】
【考案が解決しようとする課題】
【０００５】
本考案の目的は、箸箱を開いたときに箸が自動的にはね上がるため、ユーザーが箸を容易に取出すことができる便利で実用的なポップアップ式箸箱を提供することにある。
【課題を解決するための手段】
【０００６】
上記課題を解決するために、本考案によれば、箱体、蓋体及び弾性台を備えたポップアップ式箸箱であって、前記箱体の側面には、前記蓋体が枢着され、前記箱体には、前記弾性台を収納する収納孔が設けられ、前記弾性台は、円弧状を呈するとともに底端が中空状を呈した接続部を有し、前記接続部を介して前記箱体の前記収納孔の端部に接続され、前記接続部の端部には、はね上げ板が延設され、前記はね上げ板と前記接続部との接続箇所には、前記弾性台をはね上げたり収納したりする皺部が形成され、前記はね上げ板の他方の端部には、箸を載置する位置規制溝が垂直に延びていることを特徴とするポップアップ式箸箱が提供される。
【０００７】
前記箱体は、少なくとも１つの側壁を含むとともに底端部が閉じて形成された収納空間を含み、前記収納空間は、収納孔及び複数の貫通孔を有し、前記収納孔には、前記弾性台が収納され、前記箱体は、側壁上端に凸縁が設けられ、前記蓋体を枢着させる枢着部が側壁の一方の端部に設けられ、係止用爪が他方の端部に設けられることが好ましい。
【０００８】
前記蓋体は、少なくとも１つの側壁を含むとともに底端部が閉じて形成された収納空間を含み、前記箱体の前記側壁上端には、前記蓋体の側壁上端に設けられた前記凸縁を嵌合させる凹縁が設けられ、前記蓋体の側壁には、前記箱体を枢着する枢着部が一方の端部に設けられるとともに、係止用フックが他方の端部に設けられることが好ましい。
【０００９】
前記箱体は、一方の端部に支持槽が設けられ、他方の端部に折り曲げ端部が設けられるとともに、内側に凹んだ収納槽が左右両側にそれぞれ設けられた箸置部を有することが好ましい。
【考案の効果】
【００１０】
本考案は、前記の通りの構成からなり、箸箱を開くと、箸が自動的にはね上げられるので、ユーザーが容易に箸をとり出すことができる。構造も簡素なものであり、実用的価値の高いものである。
【図面の簡単な説明】
【００１１】
【図１】図１は、本考案の一実施形態に係るポップアップ式箸箱を示す斜視図である。
【図２】図２は、本考案の一実施形態に係るポップアップ式箸箱の蓋体を開いたときの状態を示す斜視図である。
【図３】図３は、本考案の一実施形態に係るポップアップ式箸箱を開くときの状態を示す断面図である。
【図４】図４は、本考案の一実施形態に係るポップアップ式箸箱を使用するときの状態を示す斜視図である。
【図５】図５は、本考案の他の実施形態に係るポップアップ式箸箱を使用するときの状態を示す斜視図である。
【図６】図６は、従来の箸箱を示す斜視図である。
【考案を実施するための形態】
【００１２】
以下、本考案の実施形態について図面に基づいて説明する。なお、これによって本考案が限定されるものではない。
【００１３】
図１〜図３を参照する。図１〜図３に示すように、本考案の一実施形態に係るポップアップ式（はね上げ式）箸箱は、少なくとも箱体１、蓋体２及び弾性台３から構成される。箱体１の側面には、蓋体２が枢着される。箱体１には、弾性台３を収納する収納孔１２１が設けられる。
【００１４】
箱体１は、プラスチック材料（例えば、ポリプロピレン）からなる。箱体１は、少なくとも１つの側壁１１を含むとともに底端部が閉じて形成された収納空間１２を含む。収納空間１２は、収納孔１２１及び複数の貫通孔１２２を有する。収納空間１２の収納孔１２１には、弾性台３が収納される。箱体１は、側壁１１上端に凸縁１１１が設けられ、蓋体２を枢着させる枢着部１３が側壁１１の一方の端部に設けられ、係止用爪１４が他方の端部に設けられる。箱体１の収納空間１２には、箸置部１５が収納される。
【００１５】
蓋体２は、プラスチック材料（例えば、ポリプロピレン）からなる。蓋体２は、少なくとも１つの側壁２１を含むとともに底端部が閉じて形成された収納空間２２を含む。蓋体２の側壁２１上端には、凹縁２１１が設けられる。側壁２１上端に設けられた凹縁２１１には、箱体１の側壁１１上端に設けられた凸縁１１１が嵌合される。蓋体２の側壁２１には、箱体１の枢着部１３が接続された枢着部２３が一方の端部に設けられるとともに、蓋体２により箱体１が閉じられると、箱体１の係止用爪１４が側壁２１の他方の端部に設けられた係止用フック２４と係合される。
【００１６】
弾性台３は、プラスチック材料（例えば、ポリプロピレン）からなる。弾性台３は、接続部３１を有し、この接続部３１を介して箱体１の収納空間１２に設けられた収納孔１２１の端部に接続される。接続部３１は、円弧状を呈するとともに底端が中空状を呈する。接続部３１の端部には、はね上げ板３２が延設される。はね上げ板３２と接続部３１との接続箇所には、弾性台３をはね上げたり収納したりする皺部３３が設けられる。はね上げ板３２の他方の端部には、箸４を載置するために用いる位置規制溝３４が垂直に延びている。
【００１７】
上述したことをさらに詳説すると、箱体１の側面に蓋体２が接続されて箸箱体が形成されている。弾性台３は、箱体１の収納空間１２に設けた収納孔１２１の端部に接続される接続部３１を有し、この接続部３１を介してはね上げ板３２に接続される。はね上げ板３２の他方の端部に設けられた位置規制溝３４は、箸４を収納するために用い、接続部３１とはね上げ板３２との接続箇所に皺部３３が形成される。接続部３１の底端は、中空状であり、はね上げ板３２により弾性台３はね上げたり収納したりする。この構成により、箸箱を開くと、箸４が自動的にはね上げられ、ユーザーが箸を容易に取り出すことができるため便利かつ実用的である。反対に、箸箱体を閉じると、蓋体２が箸４を押圧し、弾性台３に箸４が収納される（図３参照）。
【００１８】
図４及び図５を参照する。図４及び図５に示すように、箱体１は、少なくとも１つの側壁１１を含むとともに、底端部が閉じた形状である収納空間１２を含む。収納空間１２の収納孔１２１には、弾性台３が収納される。収納空間１２の複数の貫通孔１２２は、ユーザーが箸４を洗浄したときに、箸４に残留した水滴を排出する機能を有する。弾性台３は、接続部３１とはね上げ板３２とを接続して構成する。はね上げ板３２の他方の端部に設けられた位置規制溝３４には、箸４が載置される。弾性台３のはね上げ板３２の他方の端部に設けられた位置規制溝３４には、分割箸が載置される（図５参照）。接続部３１とはね上げ板３２との接続箇所には、皺部３３が設けられ、この皺部３３によりはね上げ板３２を駆動させて弾性台３をはね上げたり収納したりする。箱体１の側壁１１上端には、凸縁１１１が設けられる。箱体１の側壁１１は、一方の端部に係止用爪１４が設けられ、他方の端部に枢着部１３が設けられる。この枢着部１３には、蓋体２の枢着部２３が接続される。蓋体２は、少なくとも１つの側壁２１を含むとともに底端部が閉じて形成された収納空間２２を含む。蓋体２の側壁２１の上端には、箱体１の側壁１１の上端に設けた凸縁１１１を嵌合させる凹縁２１１が設けられている。蓋体２の側壁２１は、箱体１の枢着部１３が接続される枢着部２３が一方の端部に設けられるとともに、係止用フック２４が他方の端部に設けられる。箱体１は、一方の端部に支持槽１５１が設けられ、他方の端部に折り曲げ端部１５２が設けられるとともに、内側に凹んだ収納槽１５３が左右両側にそれぞれ設けられた箸置部１５を有する。箸４は、箸置部１５の支持槽１５１、折り曲げ端部１５２、収納槽１５３の何れにも載置することができる。
【００１９】
以上、本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００２０】
１  箱体
２  蓋体
３  弾性台
４  箸
５  箸収納箱
１１  側壁
１２  収納空間
１３  枢着部
１４  係止用爪
１５  箸置部
２１  側壁
２２  収納空間
２３  枢着部
２４  係止用フック
３１  接続部
３２  はね上げ板
３３  皺部
３４  位置規制溝
５１  箱体
５２  箱蓋
５３  箸
１１１  凸縁
１２１  収納孔
１２２  貫通孔
１５１  支持槽
１５２  折り曲げ端部
１５３  収納槽
２１１  凹縁
５１１  収納空間
５１２  係止用爪
５２１  係止用フック
【図１】
0003180818.tif 000003
【図２】
0003180818.tif 000004
【図３】
0003180818.tif 000005
【図４】
0003180818.tif 000006
【図５】
0003180818.tif 000007
【図６】
0003180818.tif 000008